(57)【要約】【課題】配信先に配信された画像データを容易に探し出すことを課題とする。【解決手段】情報処理装置は、配信ログ保持部と、検出部と、更新部とを有する。配信ログ保持部は、配信先に配信され、所定の格納場所に格納された配信データに関する配信ログ情報を保持する。検出部は、配信先を監視して、格納された配信データに対するイベントの発生を検出する。更新部は、イベントが発生した配信データに対応する配信ログ情報を更新する。【選択図】図２
2015045959.tif 000002
【特許請求の範囲】
【請求項１】
配信先に配信され、所定の格納場所に格納された配信データに関する配信ログ情報を保持する配信ログ保持部と、
前記配信先を監視して、格納された前記配信データに対するイベントの発生を検出する検出部と、
前記イベントが発生した前記配信データに対応する前記配信ログ情報を更新する更新部と
を有することを特徴とする情報処理装置。
【請求項２】
前記配信ログ保持部は、格納された前記配信データにアクセスするためのパス情報を含む前記配信ログ情報を保持し、
前記更新部は、前記イベントが発生した前記配信データに対応する前記パス情報を更新することを特徴とする請求項１に記載の情報処理装置。
【請求項３】
前記配信ログ保持部は、前記配信先上の前記配信データの格納場所を表すアドレス情報と、前記配信データのファイル名とから定められた前記パス情報を含む前記配信ログ情報を保持し、
前記検出部は、前記配信データの前記ファイル名が変更された前記イベントの発生を検出し、
前記更新部は、前記ファイル名が変更された前記配信データに対応する前記パス情報を更新することを特徴とする請求項２に記載の情報処理装置。
【請求項４】
前記配信ログ保持部は、前記配信先上の前記配信データの格納場所を表すアドレス情報と、前記配信データのファイル名とから定められた前記パス情報を含む前記配信ログ情報を保持し、
前記検出部は、前記配信データが削除された前記イベントの発生を検出し、
前記更新部は、削除された前記配信データに対応する前記配信ログ情報を削除することを特徴とする請求項２に記載の情報処理装置。
【請求項５】
前記配信ログ保持部は、格納された前記配信データの結合又は分割に関する前記配信ログ情報を保持し、
前記検出部は、前記配信データが結合又は分割された前記イベントの発生を検出し、
前記更新部は、結合又は分割された前記配信データに対応する前記配信ログ情報を更新することを特徴とする請求項１又は２に記載の情報処理装置。
【請求項６】
情報処理装置で実行される監視プログラムであって、
前記情報処理装置は、配信先に配信され、所定の格納場所に格納された配信データに関する配信ログ情報を保持する配信ログ保持部を有し、
前記配信先を監視して、格納された前記配信データに対するイベントの発生を検出する検出ステップと、
前記イベントが発生した前記配信データに対応する前記配信ログ情報を更新する更新ステップと
を実行させるための監視プログラム。
【請求項７】
情報処理装置で実行される監視方法であって、
前記情報処理装置は、配信先に配信され、所定の格納場所に格納された配信データに関する配信ログ情報を保持する配信ログ保持部を有し、
前記配信先を監視して、格納された前記配信データに対するイベントの発生を検出する検出ステップと、
前記イベントが発生した前記配信データに対応する前記配信ログ情報を更新する更新ステップと
を含むことを特徴とする監視方法。
【請求項８】
画像形成装置と情報処理装置とを有する配信監視システムであって、
前記画像形成装置は、
配信先に配信される配信データの格納場所を指定する指定部と、
原稿を読み取って得られた画像データとしての前記配信データを、指定された前記格納場所に配信する配信部と、
前記配信データに関する配信ログ情報を生成し、生成した前記配信ログ情報を前記情報処理装置に対して出力する出力部と、を有し、
前記情報処理装置は、
前記配信ログ情報を保持する配信ログ保持部と、
前記画像形成装置によって出力された前記配信ログ情報を受け取り、前記配信ログ保持部に登録する登録部と、
前記配信先を監視して、格納された前記配信データに対するイベントの発生を検出する検出部と、
前記イベントが発生した前記配信データに対応する前記配信ログ情報を更新する更新部と
を有することを特徴とする配信監視システム。
【発明の詳細な説明】
【技術分野】
【０００１】
本発明は、情報処理装置、監視プログラム、監視方法及び配信監視システムに関する。
【背景技術】
【０００２】
従来、原稿をスキャンして得られた画像データを、指定した配信サーバ装置に配信する画像形成装置が知られている。また、新たな画像データが配信サーバ装置に配信されたときに、新たに配信された画像データの一覧を表示して、ユーザに通知する技術がある。この他、画像データに関する情報をＷｅｂページに記載し、ユーザ認証を経たうえで、Ｗｅｂページを利用して選択された情報に対応する画像データを取得する技術がある。
【発明の概要】
【発明が解決しようとする課題】
【０００３】
しかしながら、上述した従来技術は、配信された画像データを探し出すことが困難であるという問題がある。具体的には、従来技術は、配信された画像データの情報が変更された場合に、該当する画像データを探し出すことができない。このような問題は、スキャンにより得られた画像データに限らず、アプリケーションデータ等を含む画像データ全般を対象に、画像データを所定の配信先に配信した場合に生じ得る。
【０００４】
本発明は、上記に鑑みてなされたものであって、配信された画像データを容易に探し出すことが可能である情報処理装置、監視プログラム、監視方法及び配信監視システムを提供することを目的とする。
【課題を解決するための手段】
【０００５】
上述した課題を解決し、目的を達成するため、本発明に係る情報処理装置は、配信先に配信され、所定の格納場所に格納された配信データに関する配信ログ情報を保持する配信ログ保持部と、前記配信先を監視して、格納された前記配信データに対するイベントの発生を検出する検出部と、前記イベントが発生した前記配信データに対応する前記配信ログ情報を更新する更新部とを有する。
【発明の効果】
【０００６】
本発明の一つの様態によれば、配信された画像データを容易に探し出すことができるという効果を奏する。
【図面の簡単な説明】
【０００７】
【図１】図１は、実施の形態１に係る配信監視システムの構成例を示す図である。
【図２】図２は、実施の形態１に係る装置構成の例を示す機能ブロック図である。
【図３Ａ】図３Ａは、配信サーバ装置及び情報処理装置のうち何れの情報を設定するかを選択するための選択画面の例を示す図である。
【図３Ｂ】図３Ｂは、情報処理装置に関する情報の設定を行なうための設定画面の例を示す図である。
【図３Ｃ】図３Ｃは、配信サーバ装置に関する情報の設定を行なうための設定画面の例を示す図である。
【図４】図４は、閲覧する配信ログを選択するための配信ログ選択画面の例を示す図である。
【図５】図５は、配信ログ表示画面の例を示す図である。
【図６】図６は、配信ログを構成する項目例を説明するための図である。
【図７】図７は、配信ログ選択画面や配信ログ表示画面の表示のために利用されるファイルの例を示す図である。
【図８】図８は、実施の形態１に係る配信処理の流れの例を示すフローチャートである。
【図９】図９は、実施の形態１に係る監視処理の流れの例を示すフローチャートである。
【図１０Ａ】図１０Ａは、配信データが結合されるイメージの例を示す図である。
【図１０Ｂ】図１０Ｂは、配信データが結合されたときの配信ログ表示画面の例を示す図である。
【図１１Ａ】図１１Ａは、配信データが分割されるイメージの例を示す図である。
【図１１Ｂ】図１１Ｂは、配信データが分割されたときの配信ログ表示画面の例を示す図である。
【発明を実施するための形態】
【０００８】
以下に添付図面を参照して、本発明に係る情報処理装置、監視プログラム、監視方法及び配信監視システムの実施の形態を説明する。なお、以下の実施の形態により本発明が限定されるものではない。
【０００９】
（実施の形態１）
［実施の形態１に係るシステム構成］
図１を用いて、実施の形態１に係る配信監視システムの構成を説明する。図１は、実施の形態１に係る配信監視システムの構成例を示す図である。
【００１０】
図１に示すように、配信監視システム１には、画像形成装置１０と、配信サーバ装置２０と、情報処理装置３０と、クライアント装置４０とが含まれる。これらのうち、画像形成装置１０と、配信サーバ装置２０と、情報処理装置３０とは、ＬＡＮ（Local  Area  Network）等のネットワーク２に接続され、互いに通信可能である。また、クライアント装置４０は、情報処理装置３０と通信可能に接続されている。
【００１１】
図１の例では、情報処理装置３０とクライアント装置４０とを直接な接続としている。これについては、クライアント装置４０をネットワーク２に接続するようにして、クライアント装置４０と情報処理装置３０とが互いに通信できるように構成しても良い。また、図１の例では、ネットワーク２に接続される画像形成装置１０が１台である場合を示している。これについては、ネットワーク２に接続される画像形成装置１０が複数台であっても良い。
【００１２】
上述した構成において、画像形成装置１０は、原稿を読み取って画像データを生成する。そして、画像形成装置１０は、画像データの格納場所（配信先）の指定を受け付ける。続いて、画像形成装置１０は、ネットワーク２を介して、生成した画像データを配信先である配信サーバ装置２０に対して送信する。これにより、配信サーバ装置２０は、画像形成装置１０によって送信された画像データを受信し、指定された格納場所に画像データを格納する。以下では、配信サーバ装置２０に配信される画像データを、「配信データ」と呼ぶ場合がある。
【００１３】
配信される画像データは、画像形成装置１０において読み取られた原稿の画像データに限らず、例えば、ＰＣや携帯端末等から送信されるアプリケーションデータ等の画像データであってもよい。また、配信サーバ装置２０は、ネットワークを介して接続する他の装置（ファイルサーバやメールサーバ等）を格納場所として画像データを送信してもよい。また、画像形成装置１０は、ネットワークを介して接続するＰＣや携帯端末等の他の装置から格納場所が指定された画像データを受信し、配信サーバ装置２０に送信してもよい。よって、画像形成装置１０は、少なくとも画像データを指定された格納場所に格納する処理に関する制御を行う装置（ＰＣ、サーバ等の情報処理装置）であってもよい。
【００１４】
また、画像形成装置１０は、配信データを配信サーバ装置２０に配信すると、配信データに関する配信ログ情報を生成する。そして、画像形成装置１０は、生成した配信ログ情報を、情報処理装置３０に対して送信する。これにより、情報処理装置３０は、画像形成装置１０によって送信された配信ログ情報を受信し、配信データの配信履歴を保持する配信ログ保持部に登録する。
【００１５】
情報処理装置３０は、配信ログ保持部に保持された配信ログ情報を、クライアント装置４０から閲覧可能な形式に変換する。このとき、情報処理装置３０は、配信サーバ装置２０に格納された配信データにアクセスするためのパス情報を付加する。これにより、クライアント装置４０は、配信ログ情報を閲覧している状態で、配信データにアクセスすることができる。
【００１６】
また、情報処理装置３０は、配信サーバ装置２０に配信された配信データの格納場所を監視して、配信データに対するイベントの発生を検出する。そして、情報処理装置３０は、イベントが発生した配信データに対応する配信ログ情報を更新する。すなわち、情報処理装置３０は、配信ログ情報の更新に応じて、付加するパス情報も更新する。これにより、クライアント装置４０は、配信データに対してイベントが発生し、配信データに関する情報が変更された場合であっても、配信データを容易に探し出すことができる。
【００１７】
［実施の形態１に係る装置構成］
次に、図２を用いて、実施の形態１に係る装置構成について説明する。図２は、実施の形態１に係る装置構成の例を示す機能ブロック図である。
【００１８】
図２に示すように、画像形成装置１０は、操作表示部１１０と、スキャン部１２０と、配信データ生成部１３０と、記憶部１４０と、スキャン配信アプリケーション１５０とを有する。また、スキャン配信アプリケーション１５０は、設定部１５１と、スキャン要求部１５２と、配信部１５３と、配信ログ送信部１５４として、ＣＰＵ（Central  Processing  Unit）上で動作するプログラムモジュールを有する。かかる画像形成装置１０は、例えば、スキャナ機能、プリンタ機能、コピー機能及びファクシミリ機能のうち、少なくともスキャナ機能を含む２つ以上の機能を有する複合機（MFP：Multi  Function  Peripheral）である。なお、画像形成装置１０は、複合機に限られるものではない。
【００１９】
操作表示部１１０は、各種情報を表示し、ユーザ操作の入力を受け付ける。かかる操作表示部１１０は、例えば、タッチパネルである。より具体的には、操作表示部１１０は、スキャン配信アプリケーション１５０の動作に従い、ＣＰＵで生成された表示制御信号に基づく表示を行なう。また、操作表示部１１０は、原稿をスキャン・配信するためのユーザ操作や、配信サーバ装置２０と情報処理装置３０とに関する情報を設定するためのユーザ操作を受け付ける。
【００２０】
スキャン部１２０は、原稿を読み取り、画像データを生成する。より具体的には、スキャン部１２０は、スキャン要求部１５２からの要求に従い、原稿のスキャンを実行し、生成した画像データに対して所定の画像処理を施して出力する。配信データ生成部１３０は、スキャン部１２０によって出力された画像データから、配信サーバ装置２０に配信するための配信データを生成する。より具体的には、配信データ生成部１３０は、スキャン部１２０によって出力された画像データに対して、ファイル名を付与したり、所定の属性情報を付加したりして、配信サーバ装置２０に配信するための配信データを生成する。
【００２１】
記憶部１４０は、処理に要する各種情報を記憶する。より具体的には、記憶部１４０は、操作表示部１１０におけるユーザ操作に応じて設定された配信サーバ装置２０に関する情報を保持する。配信サーバ装置２０に関する情報は、例えば、配信サーバ装置２０における配信データの格納場所を表す情報や、該格納場所にアクセスするために利用される認証情報等である。また、記憶部１４０は、操作表示部１１０におけるユーザ操作に応じて設定された情報処理装置３０に関する情報を保持する。情報処理装置３０に関する情報は、例えば、情報処理装置３０における配信ログ情報の格納場所を表す情報や、該格納場所にアクセスするために利用される認証情報等である。また、記憶部１４０は、これらの他にも、配信データを配信したときの配信ログ情報を記憶しても良い。
【００２２】
設定部１５１は、配信サーバ装置２０と情報処理装置３０とに関する情報を設定する。より具体的には、設定部１５１は、操作表示部１１０に対して、配信サーバ装置２０の設定に関する情報の入力を促す画面を表示させる。そして、設定部１５１は、操作表示部１１０におけるユーザ操作により入力された設定情報を記憶部１４０に格納する。ここで、配信サーバ装置２０の設定に関する情報が更新された場合に、設定部１５１は、情報処理装置３０で保持される配信サーバ装置２０に関する情報についても更新するように、該情報処理装置３０に対して通知する。配信サーバ装置２０に関する情報が更新されることにより、情報処理装置３０においては、後述する監視処理を実現することができる。また、設定部１５１は、操作表示部１１０に対して、情報処理装置３０の設定に関する情報の入力を促す画面を表示させる。そして、設定部１５１は、操作表示部１１０におけるユーザ操作により入力された設定情報を記憶部１４０に格納する。
【００２３】
スキャン要求部１５２は、スキャン部１２０に対して、原稿の読み取り処理を要求する。より具体的には、スキャン要求部１５２は、操作表示部１１０におけるユーザ操作に応じて、スキャン部１２０に対して原稿のスキャン処理を要求する。配信部１５３は、配信データを配信する。より具体的には、配信部１５３は、配信データ生成部１３０によって生成された配信データを、配信サーバ装置２０に対して送信する。このとき、配信部１５３は、記憶部１４０に記憶された配信サーバ装置２０に関する情報に従い、配信対象の配信データを格納するように設定された格納場所に配信する。そして、配信部１５３は、配信データを配信したときに、配信サーバ装置２０上での該配信データの所在を表すパス情報を生成する。
【００２４】
配信ログ送信部１５４は、配信データの配信ログ情報を送信する。より具体的には、配信ログ送信部１５４は、配信部１５３によって配信データが配信された場合に、該配信データに関する配信ログ情報を情報処理装置３０に対して送信する。情報処理装置３０に対して送信される配信ログ情報には、例えば、配信日時、ユーザ名、業務名、パス情報及び機器名等の情報が含まれる。配信日時は、配信データが配信されたときの日時の情報である。ユーザ名は、画像形成装置１０を操作したユーザ（ログインユーザ）の情報である。業務名は、配信データに対して設定された業務の情報である。パス情報は、配信部１５３によって生成されたものであり、上述したように、配信サーバ装置２０上での配信データの所在を表す情報である。例えば、パス情報は、配信サーバ装置２０上の配信データの格納場所を表すアドレス情報と、該配信データのファイル名とから定められる。機器名は、画像形成装置１０に対して予め定められているホスト名の情報である。
【００２５】
配信サーバ装置２０は、配信データ保持部２１０を有する。配信データ保持部２１０は、配信データを保持する。より具体的には、配信データ保持部２１０には、画像形成装置１０によって配信された配信データが蓄積されている。上述したように、配信データは、設定された格納場所それぞれに格納される。
【００２６】
情報処理装置３０は、登録部３１０と、配信ログ保持部３２０と、検出部３３０と、更新部３４０とを有する。上記各部については、これらの一部又は全部がソフトウェア（プログラム）であっても良いし、これらの一部又は全部がハードウェア回路であっても良い。かかる情報処理装置３０は、例えば、ＰＣ（Personal  Computer）等の情報処理装置である。
【００２７】
登録部３１０は、配信ログ情報を登録する。より具体的には、登録部３１０は、画像形成装置１０によって送信された配信ログ情報を受信し、受信した配信ログ情報を配信ログ保持部３２０に登録する。登録部３１０によって登録される配信ログ情報は、配信データが配信サーバ装置２０に配信されたときのものである。すなわち、登録部３１０は、新規の配信ログ情報を配信ログ保持部３２０に登録する。配信ログ保持部３２０は、配信ログ情報を保持する。より具体的には、配信ログ保持部３２０は、登録部３１０によって登録された配信ログ情報を保持する。なお、配信ログ保持部３２０によって保持される配信ログ情報は、後述する更新部３４０によって更新される場合がある。また、配信ログ保持部３２０に保持される配信ログ情報は、登録部３１０や更新部３４０等により、クライアント装置４０から閲覧可能な形式に適宜変換される。
【００２８】
検出部３３０は、配信サーバ装置２０のフォルダを監視して、配信データに対するイベントの発生を検出する。より具体的には、検出部３３０は、配信サーバ装置２０のフォルダを監視して、配信された配信データのファイル名が変更されたイベントや、配信された配信データが削除されたイベント等の発生を検出する。検出部３３０による監視は、設定部１５１から得られた配信サーバ装置２０に関する情報をもとに、所定のフォルダに対して行なわれる。そして、検出部３３０は、配信データのファイル名が変更された場合に、変更前のパス情報と、変更後のファイル名とを取得し、更新部３４０に対して出力する。一方、検出部３３０は、配信データが削除された場合に、変更前のパス情報と、該パス情報で表される配信データが削除されたこととを、更新部３４０に対して出力する。
【００２９】
更新部３４０は、イベントが発生した配信データに対応する配信ログ情報を更新する。より具体的には、更新部３４０は、検出部３３０によって配信データのファイル名が変更されたイベントが検出された場合に、配信ログ保持部３２０に保持されたパス情報であって、ファイル名が変更された配信データに対応するパス情報を更新する。詳細には、更新部３４０は、検出部３３０から変更前のパス情報と変更後のファイル名とを受け付けると、配信ログ保持部３２０に保持された変更前のパス情報に含まれるファイル名の箇所を、変更後のファイル名に更新する。
【００３０】
一方、更新部３４０は、検出部３３０によって配信データが削除されたイベントが検出された場合に、配信ログ保持部３２０によって保持されたパス情報であって、削除された配信データに対応するパス情報を更新する。詳細には、更新部３４０は、検出部３３０から変更前のパス情報と、該パス情報で表される配信データが削除されたこととを受け付けると、配信ログ保持部３２０に保持された該当する配信ログ情報のレコードを削除する。
【００３１】
クライアント装置４０は、表示部４１０を有する。表示部４１０は、配信ログを表示する。より具体的には、表示部４１０は、情報処理装置３０の配信ログ保持部３２０にアクセスし、情報処理装置３０によって閲覧可能に変換された配信ログの一覧を表示する。ユーザは、配信ログの一覧に含まれるパス情報のリンクを選択する操作を行なう。これにより、表示部４１０は、選択されたリンク先である配信サーバ装置２０の配信データ保持部２１０に保持された配信データにアクセスする。表示部４１０における配信ログの一覧表示では、情報処理装置３０によって閲覧可能に変換された情報がＨＴＭＬ（Hyper  Text  Markup  Language）形式で記述されている場合に、Ｗｅｂブラウザを利用することができる。
【００３２】
つまり、情報処理装置３０は、配信サーバ装置２０のフォルダを監視して、配信データへのアクセスに利用されるパス情報を更新しておく。これにより、配信データの配信後に、該配信データのファイル名が変更されていた場合には、クライアント装置４０における配信データへのアクセスを容易に実現することができる。また、配信データの配信後に、該配信データが削除されていた場合には、クライアント装置４０からの不要なアクセスを抑止することができる。
【００３３】
［各種画面］
次に、図３Ａ〜図３Ｃを用いて、画像形成装置１０の操作表示部１１０に表示される表示画面について説明する。図３Ａは、配信サーバ装置２０及び情報処理装置３０のうち何れの情報を設定するかを選択するための選択画面の例を示す図である。図３Ａに示すように、選択画面には、「管理者設定」ボタンや、「業務０１」ボタン〜「業務１２」ボタン等の複数のボタンが配置されている。これらのうち、「管理者設定」ボタンは、情報処理装置３０に関する情報を設定するための画面を表示させるトリガとなるボタンである。また、「業務０１」ボタン〜「業務１２」ボタンのそれぞれは、配信サーバ装置２０に関する情報を設定するための画面を表示させるトリガとなるボタンである。これらの業務ボタンそれぞれは、各業務に対応しており、画像形成装置１０においてスキャンにより得られた画像データ（配信データ）の用途を選択することができる。画像データ（配信データ）の用途としては、例えば、「図面」、「伝票」、「物件情報」、「報告書」、「契約書」、「個人文書」等が挙げられる。
【００３４】
図３Ｂは、情報処理装置３０に関する情報の設定を行なうための設定画面の例を示す図である。図３Ｂに示す設定画面は、図３Ａに示した「管理者設定」ボタンが押下されたときに表示される設定画面である。図３Ｂに示すように、かかる設定画面には、情報処理装置３０に関する情報として、「コンピュータ名」、「ドメイン名」、「共有名」、「ユーザ名」、「ディレクトリ名」及び「パスワード」を入力するための入力部が設けられている。ユーザによって各入力部に対して情報が入力され、「ＯＫ」ボタンが押下された場合には、各入力部に入力された情報が確定され、記憶部１４０に格納される。また、ユーザによって「キャンセル」ボタンが押下された場合には、設定画面における操作をキャンセルし、例えば図３Ａに示した選択画面に表示を戻すことができる。
【００３５】
図３Ｂに示した設定画面において、「コンピュータ名」は、情報処理装置３０に付与された名前である。「ドメイン名」は、ネットワーク２内で情報処理装置３０を識別するための識別情報である。「共有名」は、「ディレクトリ名」で指定されるディレクトリを他のコンピュータから共有できるようにする際、該ディレクトリに付与される名前である。共有名を付与され、利用可能となったディレクトリを、共有ディレクトリと呼ぶ場合がある。「ユーザ名」は、共有ディレクトリに対して画像形成装置１０からアクセスする際の識別情報であり、「パスワード」と組み合わせて用いられる。ここでは、「ユーザ名」として、例えば、「ディレクトリ名」で指定されるディレクトリに対して管理者権限でアクセス可能な名前「ａｄｍｉｎ」が入力される。「ディレクトリ名」は、配信ログ情報が記憶されるディレクトリの名前である。これらにより、画像形成装置１０から、情報処理装置３０の配信ログの格納場所にアクセスするための情報が設定される。
【００３６】
図３Ｃは、配信サーバ装置２０に関する情報の設定を行なうための設定画面の例を示す図である。図３Ｃに示す設定画面は、図３Ａに示した「業務０１」ボタン〜「業務１２」ボタンのうち何れか１つが押下されたときに表示される設定画面である。図３Ｃに示すように、かかる設定画面には、配信サーバ装置２０に関する情報として、「コンピュータ名」、「ドメイン名」、「共有名」、「ユーザ名」、「ディレクトリ名」及び「パスワード」を入力するための入力部が設けられている。ユーザによって各入力部に対して情報が入力され、「ＯＫ」ボタンが押下された場合には、各入力部に入力された情報が確定され、記憶部１４０に格納される。また、ユーザによって「キャンセル」ボタンが押下された場合には、設定画面における操作をキャンセルし、例えば図３Ａに示した選択画面に表示を戻すことができる。
【００３７】
図３Ｃに示した設定画面において、「コンピュータ名」は、配信サーバ装置２０に付与された名前である。「ドメイン名」は、ネットワーク２内で配信サーバ装置２０を識別するための識別情報である。「共有名」は、「ディレクトリ名」で指定されるディレクトリを共有ディレクトリとする際、該ディレクトリに付与される名前である。「ユーザ名」は、共有ディレクトリに対して画像形成装置１０からアクセスする際の識別情報であり、「パスワード」と組み合わせて用いられる。例えば、「ユーザ名」として、名前「ｕｓｅｒ」が入力される。なお、画像形成装置１０においてユーザ認証が不要な場合には、このユーザ名は空値となる。「ディレクトリ名」は、配信データが記憶されるディレクトリの名前である。これらにより、画像形成装置１０から、配信サーバ装置２０における格納場所に配信データを配信するための情報が設定される。
【００３８】
また、図３Ａに示した業務ボタン毎に、配信サーバ装置２０の異なる情報を設定することができる。例えば、業務ボタン毎に異なるディレクトリ名を設定することで、画像データの用途毎に配信データの格納先を変えることができる。なお、上述した各設定画面の各入力部に対する入力は、ユーザに直接入力させるようにしても良いし、予め入力された値から選択させるようにしても良い。この他、各入力値を固定値として、ユーザに変更させないようにしても良い。
【００３９】
次に、図４及び図５を用いて、クライアント装置４０の表示部４１０に表示される表示画面について説明する。図４は、閲覧する配信ログを選択するための配信ログ選択画面の例を示す図である。図５は、配信ログ表示画面の例を示す図である。
【００４０】
図４に示すように、配信ログ選択画面に表示される項目「すべて」、「機器１」、「機器２」、「機器３」等は、選択された項目に対応する配信ログ画面を表示するためのものである。図４に示した例では、ネットワーク２に対して複数の画像形成装置１０が接続されているものとし、項目「すべて」を選択することで、ネットワーク２に接続される全ての画像形成装置１０の配信ログを含んだ配信ログ表示画面が表示される。また、項目「機器１」、「機器２」、「機器３」等は、各画像形成装置１０のうち、選択された項目に対応する個別の画像形成装置１０の配信ログを含んだ配信ログ表示画面が表示される。
【００４１】
また、図５に示した配信ログ表示画面は、図４に示した項目「すべて」が選択されたときの画面例である。図５に示すように、配信ログ表示画面には、配信ログの表示項目として、「Ｎｏ．（ログナンバ）」、「配信日時」、「ユーザ」、「業務名」、「パス情報」、「機器名」等が表示され、ひとつのレコードがこれらの項目を含んでいることが表されている。配信ログは、ネットワーク２に接続される画像形成装置１０による配信データの配信履歴が記録される。また、配信ログには、配信データの配信時に生成されるひとつの配信ログデータがひとつのレコードとして、順次追加されていく。
【００４２】
図６は、配信ログを構成する項目例を説明するための図である。「ログナンバ（ログＮｏ．）」は、配信ログに含まれる配信ログデータ（レコード）を識別するための識別情報であり、例えば通し番号が用いられる。例えば、新規に追加される配信ログデータのログナンバは、配信ログに記録される最も新しいログナンバに１を加えた値を用いる。なお、配信ログは、ネットワーク２に複数の画像形成装置１０が接続される場合、各画像形成装置１０から配信データが配信されるたびに追加される。すなわち、配信ログは、複数の画像形成装置１０による配信ログデータを含んだものとなる。
【００４３】
「配信日時」は、配信データの配信日時を表す情報である。「ユーザ名」は、ユーザ認証を要する画像形成装置１０である場合に利用されるユーザ情報である。例えば、「ユーザ名」には、ユーザ認証を要する画像形成装置１０である場合に、配信データの配信処理のための操作を行なったユーザのユーザ名が記述される。「業務名」は、配信データに対して設定される業務名の情報である。「パス情報」は、配信データが格納される格納場所のファイルパスの情報である。すなわち、ファイルパスは、ファイル名を含む、ネットワーク２上でのファイルの所在を特定可能な情報が用いられる。「機器名」は、画像形成装置１０に対して予め設定されているホスト名の情報である。ホスト名は、ネットワーク２に接続される各画像形成装置１０に対して一意に設定される。
【００４４】
図５において、パス情報の項目に表示される各パス情報には、該パス情報に示されるファイルに対するリンクが設定されている。ユーザは、クライアント装置４０から所望のファイルのリンクを指定することで、クライアント装置４０上で該当するファイルに直接アクセスすることができる。また、図５の表示において、クライアント装置４０上で各項目名を指定することで、指定した項目名のデータをキーとして、レコードの表示をソートすることができる。
【００４５】
なお、図示は省略するが、図４に示した配信ログ選択画面において、項目「機器１」、「機器２」、「機器３」のうち何れが選択されると、配信ログのレコードのうち、選択された項目に対応する機器名以外の機器名のレコードに対してフィルタがかけられる。これにより、配信ログ選択画面には、選択された項目に対応する機器名のレコードのみが表示される。
【００４６】
図７は、配信ログ選択画面（図４参照）や配信ログ表示画面（図５参照）の表示のために利用されるファイルの例を示す図である。本実施の形態では、配信ログ選択画面や配信ログ表示画面を、ＨＴＭＬを用いて実現する場合を例に挙げる。
【００４７】
図７に示すファイル「ｄａｔａ．ｃｓｖ」には、配信ログが格納される。配信ログは、例えば、データをカンマで区切り、レコードをキャリッジターンで区切ったｃｓｖ形式のデータである。ファイル「ｉｎｄｅｘ．ｈｔｍｌ」は、トップ画面である配信ログ選択画面（図４参照）を表示させるファイルである。ファイル「ａｌｌ．ｈｔｍｌ」は、図４に示した項目「すべて」が選択されたときに、全ての画像形成装置１０からの配信ログデータによる配信ログを表示させるファイルである。複数のファイル「％機器（ホスト）名％．ｈｔｍｌ」は、それぞれ個々の画像形成装置１０の配信ログを表示させるファイルである。ファイル名には、各画像形成装置１０の機器名が含まれる。ファイル「ｉｎｄｅｘ．ｈｔｍｌ」内に、ファイル「ａｌｌ．ｈｔｍｌ」、ファイル「％機器（ホスト）名％．ｈｔｍｌ」等へのリンク情報が記述される。
【００４８】
ファイル「ａｌｌ．ｈｔｍｌ」及びファイル「％機器（ホスト）名％．ｈｔｍｌ」は、ｃｓｖ形式のファイル「ｄａｔａ．ｃｓｖ」を表示させるファイルである。例えば、情報処理装置３０は、ファイル「ｄａｔａ．ｃｓｖ」を解析し、ＨＴＭＬを用いて表示可能な形式のデータに変換する。このファイル「ｄａｔａ．ｃｓｖ」の解析及び変換処理は、ファイル「ｄａｔａ．ｃｓｖ」に対して動的に行なわれる。
【００４９】
ｃｓｖ形式のデータを動的にＨＴＭＬで表示可能な形式に変換するためには、例えば、マイクロソフト社（登録商標）により提供されるデータバインド技術を採用する。かかるデータバインド技術によれば、ＨＴＭＬファイル内にｃｓｖ形式のファイルのファイル名と、レコードの項目とを記述しておく。これにより、外部ファイルからｃｓｖ形式のデータを読み込んで、各レコードを、データバインド技術に対応するブラウザに表示させることができる。また、データバインド技術によれば、レコードの項目に対して他のファイルへのリンク情報を埋め込むことや、各項目のデータをキーにしたソート等も可能である。なお、これに限らず、ＪａｖａＳｃｒｉｐｔ（登録商標）等、ＨＴＭＬ形式のデータに埋め込んで動作可能なプログラム言語を用いて、変換処理を実現することも可能である。このような場合には、配信ログのデータ形式はｃｓｖ形式に限られるものではない。
【００５０】
また、ファイル「ｉｎｄｅｘ．ｈｔｍｌ」、「ａｌｌ．ｈｔｍｌ」、「％機器（ホスト）名％．ｈｔｍｌ」及び「ｄａｔａ．ｃｓｖ」は、同一のディレクトリに格納されるものとする。これに限らず、ファイル「ｉｎｄｅｘ．ｈｔｍｌ」と、ファイル「ａｌｌ．ｈｔｍｌ」、「％機器（ホスト）名％．ｈｔｍｌ」及び「ｄａｔａ．ｃｓｖ」とを、異なる階層のディレクトリに格納しても良い。
【００５１】
［実施の形態１に係る配信処理フロー］
次に、図８を用いて、実施の形態１に係る配信処理の流れについて説明する。図８は、実施の形態１に係る配信処理の流れの例を示すフローチャートである。なお、配信処理とは、主に、画像形成装置１０における処理を指す。また、配信処理では、上述したファイル「ｄａｔａ．ｃｓｖ」及びファイル「ｉｎｄｅｘ．ｈｔｍｌ」の更新処理が行なわれる。
【００５２】
なお、以下で説明する配信処理に先立ち、図３Ａ〜図３Ｃを用いて説明したようにして、配信サーバ装置２０や情報処理装置３０の情報が設定され、設定された情報それぞれが記憶部１４０に保持される。また、配信処理を利用する際に、ユーザ認証を伴うログイン処理を行なうようにすることもできる。例えば、画像形成装置１０は、ユーザ操作により配信処理を行なうように指定された場合、ユーザ名及びパスワードの入力を促す入力画面を操作表示部１１０に表示し、該表示に応じて入力されたユーザ名及びパスワードを取得する。そして、画像形成装置１０は、取得したユーザ名及びパスワードと、予め登録されたユーザ名及びパスワードとを比較し、一致する場合に配信処理の利用を許可する。
【００５３】
図８に示すように、ユーザ操作が受け付けられた後、スキャン要求部１５２からの要求によりスキャン部１２０は、原稿を読み取って画像データを出力する（ステップＳ１０１）。かかる画像データは、画像形成装置１０が有するＨＤＤ等の記憶媒体に一時的に保持される。そして、ステップＳ１０１における処理で得られた画像データの配信処理が開始される（ステップＳ１０２）。
【００５４】
配信データ生成部１３０は、画像データの配信日時の情報を取得し（ステップＳ１０３）、画像形成装置１０に予め設定された機器名を取得する（ステップＳ１０４）。そして、配信データ生成部１３０は、業務名を取得する（ステップＳ１０５）。例えば、配信データ生成部１３０は、画像データに関する業務名の入力を促す入力画面を操作表示部１１０に対して表示させ、ユーザ操作に応じて入力された業務名を取得する。業務名の取得については、ステップＳ１０１の読み取り処理を開始する際に、入力させるようにして取得しても良い。なお、入力される業務名は、配信サーバ装置２０上の配信データの格納場所と関連付けられている。例えば、図３Ｃに示した設定画面を用いて設定された業務名や、画像形成装置１０に対して予め記憶された業務名から選択させる。
【００５５】
続いて、配信データ生成部１３０は、ユーザ名を取得する（ステップＳ１０６）。例えば、配信データ生成部１３０は、ユーザ名の入力を促す入力画面を操作表示部１１０に対して表示させ、ユーザ操作に応じて入力されたユーザ名を取得する。ユーザ名の取得については、ステップＳ１０１の読み取り処理を開始する際に、入力させるようにして取得しても良い。なお、予め登録された複数のユーザ名から選択させるようにしても良い。また、配信処理の利用開始時にログイン処理が行なわれる場合には、該ログイン処理の際に入力されたユーザ名を利用するようにしても良い。
【００５６】
配信データ生成部１３０による各情報の取得、並びに取得した情報の記憶部１４０への格納が終了したら、ステップＳ１０１の読み取り処理で得られた画像データが配信データとして指定された配信先に配信される（ステップＳ１０７）。
【００５７】
一例として、配信データ生成部１３０は、記憶部１４０に記憶された業務名に関連付けられた、配信サーバ装置２０における「コンピュータ名」、「共有名」、「ユーザ名」、「ディレクトリ名」及び「パスワード」を取得する。ここで、ネットワーク２にドメイン名が設定されている場合には、「ドメイン名」をさらに取得する。そして、取得した各情報から、配信データの配信先の格納場所を表すパス情報が生成されるとともに、該格納場所にアクセスするためのログイン情報が生成される。
【００５８】
また、配信データ生成部１３０は、配信データのファイル名を設定する。例えば、配信データ生成部１３０は、ファイル名の入力を促す入力画面を操作表示部１１０に対して表示させ、ユーザ操作に応じて入力されたファイル名を取得し、配信データのファイル名に設定する。ファイル名の設定については、日付や時刻情報といった一意と考えられる情報に基づいて自動的に生成しても良い。
【００５９】
配信部１５３は、配信データ生成部１３０によって生成・取得されたパス情報、ログイン情報及びファイル名を用いて、配信サーバ装置２０に対する配信データの配信を行なう。配信データは、パス情報で指定される配信サーバ装置２０の格納場所に、ファイル名で識別されるファイルとして配信され、格納される。
【００６０】
配信データの配信が完了すると（ステップＳ１０８）、ステップＳ１０９に処理が移行する。配信部１５３は、配信データの配信に関する配信ログデータを生成するために、配信データのファイルパス（配信ファイルパス）を生成する（ステップＳ１０９）。ファイルパスは、ＨＤＤ等のコンピュータの外部記憶装置におけるファイルの所在を示す情報であり、ネットワーク２上で配信データの格納場所を示すアドレス情報と、該ファイルのファイル名とから生成される。配信データのアドレス情報は、図３Ｃに示した配信サーバ装置２０の設定画面を用いて生成することができる。
【００６１】
例えば、配信データに対して付与されたファイル名が「20110131123056524．pdf」とした場合について説明する。図３Ｃに示される配信サーバ装置２０の設定情報のうち、コンピュータ名「ｐｃｌ」、共有名「ｓｈａｒｅ」及びディレクトリ名「ｄａｔａ」を順次組み合わせて、アドレス情報は、次の記述（１）となる。
\\pcl\share\data      ・・・（１）
【００６２】
そして、記述（１）にファイル名を追加した記述（２）が、ファイル名「20110131123056524．pdf」の配信データのファイルパスとなる。
\\pcl\share\data\20110131123056524．pdf      ・・・（２）
【００６３】
配信部１５３によって配信ファイルパスが生成されると、配信ログ送信部１５４は、配信ログの出力処理（送信処理）を開始する（ステップＳ１１０）。配信ログ送信部１５４は、情報処理装置３０の登録部３１０を介して、配信ログ保持部３２０に保持される配信ログにアクセスする。配信ログ保持部３２０のアドレス情報は、図３Ｂに示した設定画面を用いて設定されたコンピュータ名、ドメイン名、共有名及びディレクトリ名で示される。
【００６４】
例えば、配信ログ保持部３２０のアドレス情報は、記述（１）を用いて説明したように、図３Ｂに示した設定画面の設定情報のうち、コンピュータ名「ｓｅｒｖｅｒ」、共有名「ｏｕｔ」及びディレクトリ名「／」を順次組み合わせたものである。配信ログのファイル名は、例えば「ｄａｔａ．ｃｓｖ」に固定されているものとする。
【００６５】
配信ログ送信部１５４は、図３Ｂに示した設定画面を用いて設定されたコンピュータ名、ドメイン名、共有名、ユーザ名、ディレクトリ名及びパスワードを取得する。そして、配信ログ送信部１５４は、取得した各情報から、配信ログ保持部３２０のアドレス情報を生成する。また、配信ログ送信部１５４は、必要に応じて、アドレス情報に示される格納場所にアクセスするためのログイン情報を生成する。
【００６６】
配信ログ送信部１５４は、このようにして生成されたアドレス情報に従い、配信ログ保持部３２０に保持される、配信ログが格納されたファイル「ｄａｔａ．ｃｓｖ」にアクセスする。配信ログ保持部３２０にアクセスする際に、必要に応じてログイン情報が用いられる。
【００６７】
配信ログ送信部１５４は、配信ログ（ファイル「ｄａｔａ．ｃｓｖ」）に記録される最も新しい配信ログデータのログナンバを取得する（ステップＳ１１１）。また、配信ログ送信部１５４は、配信データ生成部１３０によって取得された配信日時、機器名、業務名及びユーザ名、並びに、配信部１５３によって生成されたファイルパスを含む配信ログデータを生成する。
【００６８】
なお、配信ログデータには、これら以外の情報を含めることができる。このとき、各配信ログデータに含める情報の項目を一致させておくことで、配信ログデータが順次追加される配信ログにおいて、各項目の情報をキーとしてソートを行なうことができる。
【００６９】
そして、配信ログ送信部１５４は、生成した配信ログデータを出力し、配信ログ保持部３２０に保持される配信ログ（ファイル「ｄａｔａ．ｃｓｖ」）に対して追加する（ステップＳ１１２）。配信ログデータに対応するログナンバは、ステップＳ１１１における処理で取得したログナンバに１を加えた値とする。
【００７０】
配信ログ送信部１５４は、情報処理装置３０の所定のディレクトリに、自身の機器名をファイル名に含むファイル「％機器（ホスト）名％．ｈｔｍｌ」が存在するか否かを判定する（ステップＳ１１３）。このとき、配信ログ送信部１５４は、存在すると判定した場合に（ステップＳ１１３：Ｙｅｓ）、一連の配信ログ出力処理（配信処理）を終了する（ステップＳ１１６）。
【００７１】
一方、配信ログ送信部１５４は、存在しないと判定した場合に（ステップＳ１１３：Ｎｏ）、自身の機器名をファイル名に含むファイル「％機器（ホスト）名％．ｈｔｍｌ」を、情報処理装置３０の所定のディレクトリ上に作成する（ステップＳ１１４）。例えば、配信ログ送信部１５４が予めファイル「％機器（ホスト）名％．ｈｔｍｌ」を保持しており、このファイル「％機器（ホスト）名％．ｈｔｍｌ」を情報処理装置３０の所定のディレクトリにコピーする。これに限らず、配信ログ送信部１５４が、プログラムに従い、ファイル「％機器（ホスト）名％．ｈｔｍｌ」に格納されるレコードを情報処理装置３０の所定のディレクトリ上に生成することで、該ファイル「％機器（ホスト）名％．ｈｔｍｌ」を作成しても良い。
【００７２】
また、配信ログ送信部１５４は、情報処理装置３０の所定のディレクトリに存在する、配信ログ選択画面（図４参照）を表示させるためのファイル「ｉｎｄｅｘ．ｈｔｍｌ」を編集し、ファイル「ｉｎｄｅｘ．ｈｔｍｌ」に対して、作成されたファイル「％機器（ホスト）名％．ｈｔｍｌ」へのリンクを追加する（ステップＳ１１５）。例えば、配信ログ送信部１５４がリンクの記述を予め保持し、この記述をファイル「ｉｎｄｅｘ．ｈｔｍｌ」に挿入する。これに限らず、配信ログ送信部１５４が、プログラムに従い、ファイル「％機器（ホスト）名％．ｈｔｍｌ」へのリンクを実現するコードをファイル「ｉｎｄｅｘ．ｈｔｍｌ」に出力するようにしても良い。その後、一連の配信ログ出力処理（配信処理）が終了する（ステップＳ１１６）。
【００７３】
以上の一連の処理により、情報処理装置３０上の配信ログファイル「ｄａｔａ．ｃｓｖ」の更新がなされるとともに、必要に応じてＨＴＭＬファイル「％機器（ホスト）名％．ｈｔｍｌ」及び「ｉｎｄｅｘ．ｈｔｍｌ」の作成及び更新が行なわれる。これらにより、図４及び図５を用いて説明した、配信ログ選択画面や配信ログ表示画面をクライアント装置４０の表示部４１０に表示させることができる。
【００７４】
［実施の形態１に係る監視処理フロー］
次に、図９を用いて、実施の形態１に係る監視処理の流れについて説明する。図９は、実施の形態１に係る監視処理の流れの例を示すフローチャートである。なお、監視処理とは、主に、情報処理装置３０における処理を指す。
【００７５】
図９に示すように、検出部３３０は、配信サーバ装置２０のフォルダを監視する監視処理を開始し（ステップＳ２０１）、配信データのファイル名が変更されたイベントや、配信データが削除されたイベント等の発生を検出する（ステップＳ２０２）。そして、検出部３３０は、配信データのファイル名が変更されたイベントを検出した場合に、変更前のパス情報と、変更後のファイル名とを更新部３４０に対して出力する。また、検出部３３０は、配信データが削除されたイベントを検出した場合に、変更前のパス情報と、該パス情報で表される配信データが削除されたこととを更新部３４０に対して出力する。
【００７６】
更新部３４０は、配信ログ保持部３２０を参照して、イベントが発生した配信データに対応する配信ログが存在するか否かを判定する（ステップＳ２０３）。このとき、更新部３４０は、配信ログ保持部３２０に該当する配信ログが存在する場合に（ステップＳ２０３：Ｙｅｓ）、配信ログ保持部３２０の配信ログ情報を更新する（ステップＳ２０４）。一方、更新部３４０は、配信ログ保持部３２０に該当する配信ログが存在しない場合に（ステップＳ２０３：Ｎｏ）、処理を終了する。
【００７７】
例えば、更新部３４０は、配信データのファイル名が変更された場合に、変更前のパス情報に含まれるファイル名を、変更後のファイル名に更新し、新たなパス情報とする。また、更新部３４０は、配信データが削除された場合に、該当する配信データに対応する配信ログ情報を、配信ログ保持部３２０から削除する。
【００７８】
［実施の形態１による効果］
情報処理装置３０は、配信サーバ装置２０のフォルダを監視し、配信データに対するイベントの発生を検出した場合に、イベントが発生した配信データに対応する配信ログ情報を更新する。この結果、配信ログ情報をもとに配信サーバ装置２０の配信データへアクセス可能なリンク情報を表示するクライアント装置４０から、配信データに容易にアクセスすることができる。
【００７９】
（実施の形態２）
さて、これまで本発明に係る配信監視システムの実施の形態について説明したが、上述した実施の形態以外にも種々の異なる形態にて実施されて良いものである。そこで、（１）配信ログ表示画面の項目、（２）構成、（３）プログラム、について異なる実施の形態を説明する。
【００８０】
（１）配信ログ表示画面の項目
上記実施の形態では、配信データのファイル名が変更されたときや、配信データが削除されたときに、配信ログ情報を更新することで、図５に示した配信ログ表示画面を表示する場合を説明した。かかる配信ログ表示画面に表示する項目については、図５に示した項目に限られるものではない。具体的には、配信サーバ装置２０に格納された配信データに対して、結合された場合や分割された場合に、それらを認識できるようにすることもできる。
【００８１】
図１０Ａは、配信データが結合されるイメージの例を示す図である。図１０Ｂは、配信データが結合されたときの配信ログ表示画面の例を示す図である。なお、図１０Ｂに示す配信ログ表示画面は、その一部が抽出されたものである。
【００８２】
図１０Ａに示すように、ファイル名「請求書０１」である配信データと、ファイル名「請求書０２」である配信データとが結合され、ファイル名「請求書０３」である配信データが生成されたものとする。なお、ファイル名「請求書０１」はページ数「５」であり、ファイル名「請求書０２」はページ数「３」であるため、ファイル名「請求書０３」はページ数「８」となる。このとき、検出部３３０は、ファイルが結合されたことを検出し、結合前のパス情報それぞれと、結合後のパス情報とを取得する。また、検出部３３０は、各配信データのページ情報等も取得しておく。そして、更新部３４０は、結合前のパス情報やページ情報、結合後のパス情報等をもとに、配信ログ保持部３２０を更新する。
【００８３】
例えば、図１０Ｂに示すように、更新部３４０は、結合後の配信データのパス情報「\\pc1\share\data\請求書０３．tiff」に対応付けて、結合情報（結合／分割情報）として、ファイル名「請求書０１」とファイル名「請求書０２」のパス情報やページ情報等を配信ログ保持部３２０に登録する。これにより、ユーザは、配信データが結合された場合であっても、結合前の配信データを容易に閲覧することができる。なお、結合前のファイルが削除された場合には、結合／分割情報に対応するリンクは表示されない。
【００８４】
図１１Ａは、配信データが分割されるイメージの例を示す図である。図１１Ｂは、配信データが分割されたときの配信ログ表示画面の例を示す図である。なお、図１１Ｂに示す配信ログ表示画面は、その一部が抽出されたものである。
【００８５】
図１１Ａに示すように、ファイル名「請求書０４」である配信データが分割され、ファイル名「請求書０５」である配信データと、ファイル名「請求書０６」である配信データとが生成されたものとする。なお、ファイル名「請求書０４」はページ数「８」であり、ファイル名「請求書０５」はページ数「５」であり、ファイル名「請求書０６」はページ数「３」である。このとき、検出部３３０は、ファイルが分割されたことを検出し、分割前のパス情報と、分割後のパス情報それぞれとを取得する。また、検出部３３０は、各配信データのページ情報等も取得しておく。そして、更新部３４０は、分割前のパス情報、分割後のパス情報やページ情報等をもとに、配信ログ保持部３２０を更新する。
【００８６】
例えば、図１１Ｂに示すように、更新部３４０は、分割後の配信データのパス情報「\\pc1\share\data\請求書０５．tiff」に対応付けて、分割情報（結合／分割情報）として、ファイル名「請求書０４」のパス情報やページ情報等を配信ログ保持部３２０に登録する。ファイル名「請求書０５」の分割情報では、ファイル名「請求書０４」の１〜５ページまでがファイル名「請求書０５」に含まれていることを表している。
【００８７】
同様に、更新部３４０は、分割後の配信データのパス情報「\\pc1\share\data\請求書０６．tiff」に対応付けて、分割情報（結合／分割情報）として、ファイル名「請求書０４」のパス情報やページ情報等を配信ログ保持部３２０に登録する。ファイル名「請求書０６」の分割情報では、ファイル名「請求書０４」の６〜８ページまでがファイル名「請求書０６」に含まれていることを表している。これらにより、ユーザは、配信データが分割された場合であっても、分割前の配信データを容易に閲覧することができるとともに、分割前のどのページに該当する配信データであるのかを認識することができる。なお、分割前のファイルが削除された場合には、結合／分割情報に対応するリンクは表示されない。
【００８８】
（２）構成
また、上記文書中や図面中等で示した処理手順、制御手順、具体的名称、各種のデータやパラメタ等を含む情報は、特記する場合を除いて任意に変更することができる。また、図示した各装置の各構成要素は、機能概念的なものであり、必ずしも物理的に図示の如く構成されていることを要しない。すなわち、各装置の分散又は統合の具体的形態は、図示のものに限られず、その全部又は一部を各種の負担や使用状況等に応じて、任意の単位で機能的又は物理的に、分散又は統合することができる。
【００８９】
（３）プログラム
また、情報処理装置３０で実行される監視プログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、監視プログラムを、インターネット等のネットワークに接続されたコンピュータ上に格納し、ネットワーク経由でダウンロードさせることにより提供するように構成しても良い。また、監視プログラムをインターネット等のネットワーク経由で提供又は配布するように構成しても良い。また、監視プログラムを、ＲＯＭ等に予め組み込んで提供するように構成しても良い。
【００９０】
情報処理装置３０で実行される監視プログラムは、上述した各部（検出部３３０、更新部３４０）を少なくとも含むモジュール構成となっており、実際のハードウェアとしてはＣＰＵ（プロセッサ）が記憶媒体から監視プログラムを読み出して実行することにより、上記各部が主記憶装置上にロードされ、検出部３３０、更新部３４０が主記憶装置上に生成されるようになっている。
【符号の説明】
【００９１】
１  配信監視システム
１０  画像形成装置
２０  配信サーバ装置
３０  情報処理装置
４０  クライアント装置
１１０  操作表示部
１２０  スキャン部
１３０  配信データ生成部
１４０  記憶部
１５０  スキャン配信アプリケーション
１５１  設定部
１５２  スキャン要求部
１５３  配信部
１５４  配信ログ送信部
２１０  配信データ保持部
３１０  登録部
３２０  配信ログ保持部
３３０  検出部
３４０  更新部
４１０  表示部
【先行技術文献】
【特許文献】
【００９２】
【特許文献１】特開２０１１−０４９６５１号公報
【特許文献２】特許第４９６８２９５号公報
【図１】
2015045959.tif 000003
【図２】
2015045959.tif 000004
【図３Ａ】
2015045959.tif 000005
【図３Ｂ】
2015045959.tif 000006
【図３Ｃ】
2015045959.tif 000007
【図４】
2015045959.tif 000008
【図５】
2015045959.tif 000009
【図６】
2015045959.tif 000010
【図７】
2015045959.tif 000011
【図８】
2015045959.tif 000012
【図９】
2015045959.tif 000013
【図１０Ａ】
2015045959.tif 000014
【図１０Ｂ】
2015045959.tif 000015
【図１１Ａ】
2015045959.tif 000016
【図１１Ｂ】
2015045959.tif 000017